(57)【要約】      （修正有）【課題】スライド部材が高速で移送された場合にも、ブラケットとスライド部材との衝突やディスク搬送ローラとディスクとの衝突を抑制し、異音の発生を抑制する。【解決手段】ディスク搬送を行うディスク搬送ローラ５と、ディスク搬送ローラ５を支持し、当該ディスク搬送ローラ５をディスクに対して当接・退避させるように回動可能なブラケット６と、ブラケット６に取り付けられ、ディスク搬送ローラ５をディスク２０側に付勢するバネと、移送することによりブラケット６を回動させるカム部１４を有するスライド部材１３と、カム部１４に取り付けられ、ブラケット６を付勢する板バネ１５とを備えた。【選択図】図２
2012119021.tif 000002
【特許請求の範囲】
【請求項１】
ディスク搬送を行うディスク搬送ローラと、
前記ディスク搬送ローラを支持し、当該ディスク搬送ローラをディスクに対して当接・退避させるように回動可能なブラケットと、
前記ブラケットに取り付けられ、前記ディスク搬送ローラをディスク側に付勢するバネと、
移送することにより前記ブラケットを回動させるカム部を有するスライド部材と、
前記カム部に取り付けられ、前記ブラケットを付勢する板バネと
を備えたディスク搬送機構。
【請求項２】
スライド部材および板バネは一体成形により構成されている
ことを特徴とする請求項１記載のディスク搬送機構。
【発明の詳細な説明】
【技術分野】
【０００１】
この発明は、ディスク搬送を行う際に、ディスク搬送ローラを支持するブラケットをスライダのカム部により回動させ、ディスク搬送ローラをディスクに当接させるディスク搬送機構に関するものである。
【背景技術】
【０００２】
従来の車載用ディスク装置では、前面のディスク挿入口からディスクを挿入し、ディスク裏面に当接したディスク搬送ローラによってディスク搬送を行うディスク搬送機構を有したスロットイン方式が適用されている。
【０００３】
このディスク搬送機構には、ディスク搬送ローラ端部を後方側で支持する側壁を有し、ディスク搬送ローラを上下に移送するように、前方側を支点に回動可能なブラケットが設けられている。また、ブラケットには、ディスク搬送ローラをディスク側に付勢する圧縮コイルバネが取り付けられている。また、一方の側壁の後方側には突起が形成されている。
この突起は、前後方向に移動可能なスライド部材のカム部と当接している。カム部は、スライド部材が後方に移送された際に突起を上方に移動させ、スライド部材が前方に移送された際に突起を下方に移動させる斜面状に形成されている。
【０００４】
このように構成されたディスク搬送機構において、ディスク搬送を行う際には、スライド部材を後方に移送させる。この際、圧縮コイルバネの付勢力によって、突起がカム部の斜面に沿って上方に移送され、ブラケットは前方側を支点に上向きに回動される。これにより、ディスク搬送ローラが上方に移送されてディスクに当接される。その後、ディスク搬送ローラを所定方向に回転させることによってディスク搬送を行う。
一方、ディスク再生を行う際には、スライド部材を前方に移送させる。この際、突起がカム部の斜面に沿って下方に移送され、ブラケットは前方側を支点に下向きに回動される。これにより、ディスク搬送ローラが下方に移送されてディスクから退避される。その後、再生部のターンテーブル上に載置されたディスクを回転させ、光ピックアップによりディスクの情報を読み取ることによってディスク再生を行う。
【先行技術文献】
【特許文献】
【０００５】
【特許文献１】特開２００１−２８３４９４号公報
【発明の概要】
【発明が解決しようとする課題】
【０００６】
しかしながら、上記のようなディスク搬送機構において、スライド部材が高速で移送された場合には、このスライド部材の移送にブラケットの回動が追従できず、カム部と突起との間に一瞬隙間ができ、その後、圧縮コイルバネの付勢力により衝突してしまい、異音（たたき音）が発生してしまうという課題があった。また、この際、ディスク搬送ローラがディスクに衝突し、異音が発生してしまうという課題があった。
【０００７】
一方、特許文献１に開示されるスライダ機構では、バネ付勢力による異音発生を防止するため、付勢方向がスライダ位置により反転する第２のバネと、第２のバネの反転制御を行う２枚のスライダとを用いている。しかしながら、この特許文献１に開示されるスライダ機構は、スライド部材が高速移送され、ブラケットの回動が追従できないことに起因する衝突異音を抑制するものではない。
【０００８】
この発明は、上記のような課題を解決するためになされたもので、ディスク搬送ローラを支持するブラケットをスライド部材のカム部により回動させ、ディスク搬送ローラをディスクに対して当接・退避させるディスク搬送機構において、スライド部材が高速で移送された場合にも、ブラケットとスライド部材との衝突やディスク搬送ローラとディスクとの衝突を抑制し、異音の発生を抑制することができるディスク搬送機構を提供することを目的としている。
【課題を解決するための手段】
【０００９】
この発明に係るディスク搬送機構は、ディスク搬送を行うディスク搬送ローラと、ディスク搬送ローラを支持し、当該ディスク搬送ローラをディスクに対して当接・退避させるように回動可能なブラケットと、ブラケットに取り付けられ、ディスク搬送ローラをディスク側に付勢するバネと、移送することによりブラケットを回動させるカム部を有するスライド部材と、カム部に取り付けられ、ブラケットを付勢する板バネとを備えたものである。
【発明の効果】
【００１０】
この発明によれば、上記のように構成したので、スライド部材が高速で移送された場合にも、ブラケットとスライド部材との衝突やディスク搬送ローラとディスクとの衝突を抑制し、異音の発生を抑制することができる。
【図面の簡単な説明】
【００１１】
【図１】この発明の実施の形態１に係るディスク装置の外観を示す斜視図である。
【図２】この発明の実施の形態１に係るディスク搬送機構の構成を示す斜視図である。
【図３】この発明の実施の形態１に係るディスク搬送機構によるディスク再生を行う際の動作を説明する図である。
【図４】この発明の実施の形態１に係るディスク搬送機構によるディスク搬送を行う際の動作を説明する図である。
【発明を実施するための形態】
【００１２】
以下、この発明の実施の形態について図面を参照しながら詳細に説明する。
実施の形態１．
ディスク装置１は、光等によりディスク２０に対する情報の記録のみ、再生のみまたは記録・再生の両方を行うスロットイン方式の車載用ディスク装置である。
図１，２に示すように、このディスク装置１の前面にはディスク挿入口２が設けられ、ディスク装置１内部にはディスク再生を行う再生部３が設けられている。この再生部３には、ディスクが載置されるターンテーブル３ａと、このターンテーブル３ａを回転させるスピンドルモータ３ｂとが設けられている。また、ディスク挿入口２と再生部３との間でディスク搬送を行うディスク搬送機構４が設けられている。
【００１３】
ディスク搬送機構４には、図２に示すように、ディスク装置１内でディスク２０裏面と当接してディスク搬送を行うディスク搬送ローラ５が設けられている。このディスク搬送ローラ５は、駆動用モータ（不図示）によりギア（不図示）を介して軸心周りにローラが所定方向に回転されることによって、ディスク挿入口２から挿入されたディスク２０を再生部３へ搬入し、あるいは、再生部３内のディスク２０をディスク挿入口２へ搬出する。
【００１４】
また、ディスク搬送ローラ５の下部にはブラケット６が設けられている。このブラケット６の長手方向両端には、ディスク搬送ローラ５端部を支持する側壁７ａ，７ｂが形成されている。側壁７ａの後方側には、ディスク搬送ローラ５の一端を支持する係合穴８が形成されている。また、側壁７ｂの後方側には、ディスク搬送ローラ５の他端を支持する係合溝９が形成され、突起１０が形成されている。さらに、側壁７ａ，７ｂには、ディスク搬送ローラ５をディスク２０側に付勢する圧縮コイルバネ１１（図３，４参照）が取り付けられている。このブラケット６は、支持しているディスク搬送ローラ５を上下に移送するように、前方側の支点Ａ（図３，４参照）を中心に回動可能に構成されている。
【００１５】
また、側壁７ｂの後方には、駆動モータ（不図示）によりラックギア１２を介して前後方向に移送可能なスライド部材１３が設けられている。このスライド部材１３の前方側にはカム部１４が形成されている。カム部１４は、スライド部材１３が後方に移送された際に突起１０を上方に移動させ、スライド部材１３が前方に移送された際に突起１０を下方に移動させる斜面状に形成されている。
【００１６】
また、カム部１４には、ブラケット６の付勢力で撓むことによって突起１０を下方（カム部１４側とは反対側）に付勢する板バネ１５がカシメ等により取り付けられている。この板バネ１５は、板金部材や樹脂部材等によりカム部１４の斜面形状と同様の形状に形成され、後方側のみ固定されている。なお、板バネ１５の付勢力は、ブラケット６の回動力以下に設定されている。
【００１７】
次に、上記のように構成されたディスク搬送機構４の動作について説明する。
ディスク再生を行う際には、図３に示すように、駆動モータによりラックギア１２を介してスライド部材１３を前方に移送させる（矢印Ｂ）。この際、圧縮コイルバネ１１の付勢力よりも大きな力で移送させる。このスライド部材１３の移送により、突起１０がカム部１４の斜面に沿って下方に移送され、ブラケット６は支点Ａを中心に下向きに回動される（矢印Ｃ）。これによりディスク搬送ローラ５が下方に移送されて図４に示す状態となり、ディスク搬送ローラ５をディスク２０から退避させることができる。
その後、再生部３のターンテーブル３ａ上に載置されたディスク２０をスピンドルモータ３ｂにより回転させ、光ピックアップ（不図示）によりディスク２０の情報を読み取ることによってディスク再生を行う。
【００１８】
一方、ディスク搬送を行う際には、図４に示すように、駆動モータによりラックギア１２を介してスライド部材１３を後方に移送させる（矢印Ｄ）。この際、圧縮コイルバネ１１の付勢力により、突起１０がカム部１４の斜面に沿って上方に移送され、ブラケット６は支点Ａを中心に上向きに回動される（矢印Ｅ）。これによりディスク搬送ローラ５が上方に移送されて図３に示す状態となり、ディスク搬送ローラ５をディスク２０に当接させることができる。
その後、駆動用モータによりギアを介してディスク搬送ローラ５を所定方向に回転させることによってディスク搬送を行う。
【００１９】
ここで、スライド部材１３を後方に移送させている際に、板バネ１５は、ブランケット６の付勢力で撓むことによって突起１０を常に下方に付勢している。そのため、スライド部材１３が高速で移送された場合にも、突起１０と板バネ１５との間に隙間ができることはなく、ブラケット６とスライド部材１３との衝突を抑制し、また、ディスク搬送ローラ５とディスク２０との衝突速度を減速させることができ、異音の発生を抑制することができる。
【００２０】
以上のように、この実施の形態１によれば、ディスク搬送ローラ５を支持するブラケット６をスライド部材１３のカム部１４により回動させ、ディスク搬送ローラ５をディスク２０に対して当接・退避させるディスク搬送機構４において、カム部１４に板バネ１５を配置するように構成したので、スライド部材１３が高速で移送された場合にも、板バネ１５によりブラケット６の突起１０を常に付勢することで、ブラケット６とスライド部材１３との衝突を抑制し、ディスク搬送ローラ５とディスク２０との衝突速度を減速させることができ、異音の発生を抑制することができる。
【００２１】
なお、実施の形態１では、スライド部材１３と板バネ１５を別体に構成した場合について説明したが、スライド部材１３と板バネ１５を成形材料（樹脂材料等）で一体成形するように構成してもよい。このようにスライド部材１３と板バネ１５を一体成形することで、部品点数を削減することができ、コスト低減を図ることができる。
また、本願発明はその発明の範囲内において、実施の形態の任意の構成要素の変形、もしくは実施の形態の任意の構成要素の省略が可能である。
【符号の説明】
【００２２】
１  ディスク装置、２  ディスク挿入口、３  再生部、３ａ  ターンテーブル、３ｂ  スピンドルモータ、４  ディスク搬送機構、５  ディスク搬送ローラ、６  ブラケット、７ａ，７ｂ  側壁、８  係合穴、９  係合溝、１０  突起、１１  圧縮コイルバネ、１２  ラックギア、１３  スライド部材、１４  カム部、１５  板バネ、２０  ディスク。
【図１】
2012119021.tif 000003
【図２】
2012119021.tif 000004
【図３】
2012119021.tif 000005
【図４】
2012119021.tif 000006